(57)【要約】【課題】ＩＣカードに対するデータの読み込み又は書き込みと同時に該ＩＣカードの券面の画像を読み取ることが可能なＩＣカードリーダライタを提供する。【解決手段】非接触式ＩＣカードとの間で無線通信を行うためのアンテナ部と、このアンテナ部を介して前記ＩＣカードに内蔵された記録媒体に対してデータの読み込み又は書き込みを行うリードライト手段と、前記ＩＣカードの券面の画像を光学的に読み取る画像読取手段と、を備え、前記画像読取手段は、前記ＩＣカードを載置可能な光透過性の載置部と、この載置部を介して前記ＩＣカードの券面の光学像を読み取る光学系を有し、前記アンテナ部は、前記載置部の外周を囲む位置に設けられる。【選択図】図３
2006134054.tif 000002
【特許請求の範囲】
【請求項１】
非接触式ＩＣカードの券面の画像を光学的に読み取る画像読取手段を備えたことを特徴とするＩＣカードリーダライタ。
【請求項２】
前記ＩＣカードとの間で無線通信を行うためのアンテナ部と、このアンテナ部を介して前記ＩＣカードに内蔵された記録媒体に対してデータの読み込み又は書き込みを行うリードライト手段と、を備え、
前記画像読取手段は、前記ＩＣカードを載置可能な光透過性の載置部と、この載置部を介して前記ＩＣカードの券面の光学像を読み取る光学系を有し、
前記アンテナ部は、前記載置部の外周を囲む位置に設けられていることを特徴とする請求項１に記載のＩＣカードリーダライタ。
【請求項３】
前記ＩＣカードとの間で無線通信を行うためのアンテナ部と、このアンテナ部を介して前記ＩＣカードに内蔵された記録媒体に対してデータの読み込み又は書き込みを行うリードライト手段と、を備え、
前記画像読取手段は、前記ＩＣカードを載置可能な光透過性の載置部と、この載置部を介して前記ＩＣカードの券面の光学像を読み取る光学系を有し、
前記アンテナ部は、光透過性の素材で形成されることを特徴とする請求項１に記載のＩＣカードリーダライタ。
【請求項４】
前記画像読取手段は、前記ＩＣカードが静止した状態で、券面の画像を読み取ることを特徴とする請求項１〜３の何れか一項に記載のＩＣカードリーダライタ。
【請求項５】
前記光学系を駆動させるための駆動手段を更に備え、
前記駆動手段は、非導電性及び／又は非磁性の部材で構成されることを特徴とする請求項２又は３に記載のＩＣカードリーダライタ。
【請求項６】
前記リードライト手段及び画像読取手段を制御する制御手段を更に備え、
前記制御手段は、前記リードライト手段及び画像読取手段を同時に作動させることを特徴とする請求項２又は３に記載のＩＣカードリーダライタ。
【請求項７】
記憶手段を更に備え、
前記制御手段は、前記リードライト手段によりＩＣカードから読み込まれたデータと、前記画像読取手段により読み取られた該ＩＣカードの券面の画像データと、を対応付けて前記記憶手段に記憶させることを特徴とする請求項６に記載のＩＣカードリーダライタ。
【発明の詳細な説明】
【技術分野】
【０００１】
本発明は、非接触式のＩＣカードに対し、データの読み込み又は書き込みが可能なＩＣカードリーダライタに関する。
【背景技術】
【０００２】
従来、身分証明書等の身分確認時に用いられるカードとして、磁気ストライプカードに代表されるような接触式カードが一般的に知られていたが、近年においては磁気ストライプカードよりも安全性、利便性、防水性能等に優れた点の多い非接触式のＩＣカードが用いられるようになってきている。このような非接触式のＩＣカードのデータを読み書きするために、ＩＣカードと通信してデータを送受するＩＣカードリーダライタが開発されている（例えば、特許文献１参照）。
【０００３】
一方、上記した身分確認時に用いられるＩＣカードの券面には、カード所有者の写真や、カード所有者固有の情報等が記載されることがある。このような場合、カード券面に記載された情報とＩＣカード内に記憶された情報との照合が行われることがあり、従来、カードの券面の画像の読み取りに、イメージスキャナが用いられている（例えば、特許文献２参照）。
【特許文献１】特開２００２−１５０２３９号公報
【特許文献２】特開平９−３３０３９５号公報
【発明の開示】
【発明が解決しようとする課題】
【０００４】
しかしながら、従来のＩＣカードリーダライタやイメージスキャナでは、ＩＣカードに対するデータの読み込み又は書き込みと同時にカード券面の画像を読み取ることが出来ないため、利便性が悪く、作業効率を低下させる可能性がある。また、カード券面の画像の読み取りにラインスキャナを用いるような場合では、カードを搬送させる機構が必要となるため、構成が複雑となり、カード詰り等の故障の原因となる可能性がある。
【０００５】
本発明の課題は、ＩＣカードに対するデータの読み込み又は書き込みと同時に該ＩＣカードの券面の画像を読み取ることが可能なＩＣカードリーダライタを提供することである。
【課題を解決するための手段】
【０００６】
上記課題を解決するために、請求項１に記載の発明は、
非接触式ＩＣカードの券面の画像を光学的に読み取る画像読取手段を備えたことを特徴としている。
【０００７】
更に、請求項２に記載の発明は、請求項１に記載の発明において、
前記ＩＣカードとの間で無線通信を行うためのアンテナ部と、このアンテナ部を介して前記ＩＣカードに内蔵された記録媒体に対してデータの読み込み又は書き込みを行うリードライト手段と、を備え、
前記画像読取手段は、前記ＩＣカードを載置可能な光透過性の載置部と、この載置部を介して前記ＩＣカードの券面の光学像を読み取る光学系を有し、
前記アンテナ部は、前記載置部の外周を囲む位置に設けられていることを特徴としている。
【０００８】
更に、請求項３に記載の発明は、請求項１に記載の発明において、
前記ＩＣカードとの間で無線通信を行うためのアンテナ部と、このアンテナ部を介して前記ＩＣカードに内蔵された記録媒体に対してデータの読み込み又は書き込みを行うリードライト手段と、を備え、
前記画像読取手段は、前記ＩＣカードを載置可能な光透過性の載置部と、この載置部を介して前記ＩＣカードの券面の光学像を読み取る光学系を有し、
前記アンテナ部は、光透過性の素材で形成されることを特徴としている。
【０００９】
更に、請求項４に記載の発明は、請求項１〜３の何れか一項に記載の発明において、
前記画像読取手段は、前記ＩＣカードが静止した状態で、券面の画像を読み取ることを特徴としている。
【００１０】
更に、請求項５に記載の発明は、請求項２又は３に記載の発明において、
前記光学系を駆動させるための駆動手段を更に備え、
前記駆動手段は、非導電性及び／又は非磁性の部材で構成されることを特徴としている。
【００１１】
更に、請求項６に記載の発明は、請求項２又は３に記載の発明において、
前記リードライト手段及び画像読取手段を制御する制御手段を更に備え、
前記制御手段は、前記リードライト手段及び画像読取手段を同時に作動させることを特徴としている。
【００１２】
更に、請求項７に記載の発明は、請求項６に記載の発明において、
記憶手段を更に備え、
前記制御手段は、前記リードライト手段によりＩＣカードから読み込まれたデータと、前記画像読取手段により読み取られた該ＩＣカードの券面の画像データと、を対応付けて前記記憶手段に記憶させることを特徴としている。
【発明の効果】
【００１３】
請求項１に記載の発明によれば、非接触式ＩＣカードの券面の画像を光学的に読み取る画像読取手段を備えたことにより、ＩＣカードに対するデータの読み込み又は書き込みとともに、ＩＣカードの券面画像の読み取りを同一装置で行うことが可能であるため、作業効率を向上することができる。
【００１４】
請求項２に記載の発明によれば、ＩＣカードとの間で無線通信を行うためのアンテナ部は、載置部の外周を囲む位置に設けられる。このことにより、ＩＣカードの券面の光学像の読み取りを妨げることがないため、ＩＣカードの券面画像を確実に読み取ることができる。
【００１５】
請求項３に記載の発明によれば、ＩＣカードとの間で無線通信を行うためのアンテナ部は、光透過性の素材で形成される。このことにより、ＩＣカードの券面の光学像の読み取りを妨げることがないため、ＩＣカードの券面画像を確実に読み取ることができる。
【００１６】
請求項４に記載の発明によれば、画像読取手段は、ＩＣカードが静止した状態で、券面の画像を読み取る。このことにより、ＩＣカードを搬送させる機構を必要としないため、カード詰り等の故障の発生を防ぐことができる。
【００１７】
請求項５に記載の発明によれば、駆動手段は、非導電性及び／又は非磁性の部材で構成される。このことにより、ＩＣカードとの無線通信の際に形成される磁界への影響を抑えることが可能であるため、ＩＣカードとの無線通信を安定して行うことができる。
【００１８】
請求項６に記載の発明によれば、制御手段は、前記リードライト手段及び画像読取手段を同時に作動させる。このことにより、ＩＣカードに対するデータの読み込み又は書き込みと同時に、ＩＣカードの券面画像の読み取りを行うことが可能であるため、作業効率を向上させることができる。
【００１９】
請求項７に記載の発明によれば、制御手段は、リードライト手段によりＩＣカードから読み込まれたデータと、画像読取手段により読み取られた当該ＩＣカードの券面画像の画像データと、を対応付けて記憶手段に記憶する。このことにより、一のＩＣカードに係るデータ及び当該ＩＣカードの表面画像の画像データを効率的に記憶及び管理することができる。
【発明を実施するための最良の形態】
【００２０】
以下、図面を参照して本発明のＩＣカードリーダライタを説明する。ただし、本発明の範囲は、図示例に限定されないものとする。
【００２１】
まず、図１を参照してＩＣカードリーダライタ１０の外観構成を説明する。ＩＣカードリーダライタ１０は、上部が開放した枠体Ｈにより形成されている。ＩＣカードリーダライタ１０の開放部には、プラテンガラス１５４が配置されており、当該プラテンガラス１５４の上面に非接触式のＩＣカードＣが載置される。
【００２２】
プラテンガラス１５４上に載置されたＩＣカードＣは、後述する制御部１１の制御により、データの読み込み又は書き込みが行われるとともに、プラテンガラス１５４に接する券面の画像が読み取られる。ここで券面とは、ＩＣカードに係る情報が標記された表面を意味する。
【００２３】
次に、図２を参照して、ＩＣカードリーダライタ１０の概略構成を説明する。
図２に示すように、ＩＣカードリーダライタ１０は、制御部１１、操作部１２、記憶部１３、Ｉ／Ｆ１４、スキャナ部１５、画像処理部１６、Ｒ／Ｗ（リードライタ）部１７等を有して構成されており、これら各部はバス１８を介して互いに接続されている。
【００２４】
制御部１１は、図示しないＣＰＵ（Central Processing Unit）、ＲＡＭ（Random Access Memory）、ＲＯＭ（Read Only Memory）等を備え、ＣＰＵにおいて、ＲＡＭの所定領域を作業領域としてＲＯＭや記憶部１３に記憶されている各種制御プログラムに従い、上記各部に制御信号を送ってＩＣカードリーダライタ１０の動作全般を統括制御する。
【００２５】
また、制御部１１は、スキャナ部１５とＲ／Ｗ部１７とを同時に作動させるよう制御する。この制御のトリガーとしては、例えば、Ｒ／Ｗ部１７によりＩＣカードＣを認識したと同時にスキャナ部１５を作動させることとしてもよいし、操作部１２を介してユーザから入力される指示に応じてスキャナ部１５及びＲ／Ｗ部１７を同時に作動させることとしてもよいし、Ｉ／Ｆ１４を介して外部機器から入力される指示に応じてスキャナ部１５及びＲ／Ｗ部１７を同時に作動させることとしてもよい。
【００２６】
また、制御部１１は、Ｒ／Ｗ部１７によりＩＣカードＣから読み込んだデータと、スキャナ部１５により読み取ったＩＣカードＣの券面画像の画像データと、を対応付けて記憶部１３に記憶又はＩ／Ｆ１４を介して接続される外部機器に出力する。
【００２７】
操作部１２は、ＩＣカードリーダライタ１０に対する操作指示を入力するための数字キー、文字キー、機能キー等の各種キーを含んで構成され、そのキー操作による入力信号を制御部１１に出力する。
【００２８】
記憶部１３は、揮発メモリ、磁気的・光学的記録媒体又は不揮発性メモリ等で構成され、動作プログラム等の各種データを記憶する。また、記憶部１３は、Ｒ／Ｗ部１７によってＩＣカードＣから読み込まれたデータ及びスキャナ部１５により読み取られたＩＣカードＣの券面画像の画像データを記憶する。
【００２９】
Ｉ／Ｆ１４は、外部機器からＩＣカードリーダライタ１０に対して、各種指示信号等のデータを入出力するためのインターフェイスであって、たとえば、ＩＥＥＥ１３９４規格に準じた接続端子、ＵＳＢ（Universal Serial Bus）ポートやＲＳ−２３２Ｃ端子をはじめとするシリアル入出力端子、パラレル入出力端子、ＳＣＳＩインターフェイス、ＩｒＤＡ（Infrared Data Association）規格に準じた赤外線通信装置等を備え、有線または無線通信手段によりＩＣカードリーダライタ１０に対して接続可能とする。
【００３０】
スキャナ部１５は、後述する、光源、ミラー群、レンズ、リニアＣＣＤ（Charge Coupled Devices）等のラインセンサ等を有して構成されている。スキャナ部１５は、制御部１１の制御に応じてプラテンガラス１５４上に載置されたＩＣカードＣの券面画像を読み取り、読み取った画像データを画像処理部１６に出力する。
【００３１】
画像処理部１６は、スキャナ部１５から読み取られたＩＣカードＣの券面画像の画像データ等に空間フィルタ処理、色変換処理、誤差拡散処理、シェーディング処理、画像圧縮処理等の各種画像処理を施す。
【００３２】
Ｒ／Ｗ部１７は、ＩＣカードＣとの間で無線通信を行うためのアンテナ部等を有して構成され、このアンテナ部を介してＩＣカードＣに内蔵された記録媒体に対してデータの読み込み又は書き込みを行う。
【００３３】
次に、以上説明した概観・構成のＩＣカードリーダライタ１０においてスキャナ部１５及びアンテナ部の構成を５つの実施形態に分けて説明する。
【００３４】
＜第1の実施形態＞
図３を参照して、本第１の実施形態に係るＩＣカードリーダライタ１０の構成を説明する。図３（ａ）は、ＩＣカードリーダライタ１０の全体概略断面図、図３（ｂ）は、ＩＣカードリーダライタ１０の概略平面図である。図３（ｂ）において、プラテンガラス１５４上に存在する枠体Ｈ、ＩＣカードＣ及び光源１５２は省略している。
【００３５】
ＩＣカードリーダライタ１０は、スキャナ部１５としてのラインセンサ１５１、光源１５２、ミラー１５３、プラテンガラス１５４、ラインセンサ１５１とミラー１５３との間に配設される不図示の合焦レンズ、光源１５２及びミラー１５３を移動するための駆動手段（不図示）及びＲ／Ｗ部１７としてのアンテナ部１７１等を有して構成されている。なお、図２で示した制御部１１、記憶部１３、Ｉ／Ｆ１４等は、ＩＣカードリーダライタ１０内に内蔵されているものとし、操作部１２は、枠体Ｈ上に設けられているものとする（何れも不図示）。
【００３６】
スキャナ部１５は、制御部１１の制御に応じて光源１５２からＩＣカードＣへ照明走査することで得られる券面の画像光をミラー１５３により反射させ、不図示の合焦レンズにより結像しラインセンサ１５１により光電変換することで券面の光学像を読み取り、読み取った画像データを画像処理部１６に出力する。なお、光源１５２及びミラー１５３は、制御部１１の制御に応じて駆動手段により図中Ｘで示した方向に移動可能であるとし、ＩＣカードＣの券面全ての光学像を反射するものとする。
【００３７】
ここで、ミラー１５３及び駆動手段は、非導電性及び／又は非磁性の素材から構成されているものとする。このようにすることにより、Ｒ／Ｗ部１７が無線通信の際に形成する磁界への影響を抑えることが可能であるため、ＩＣカードＣとの無線通信を安定して行うことができる。
【００３８】
また、アンテナ部１７１は、図３（ｂ）に示すように、ループ状のアンテナであるものとし、プラテンガラス１５４の外周を囲む位置に設けられている。つまり、アンテナ部１７１の中空部にプラテンガラス１５４が位置することになるため、該プラテンガラス１５４上に載置されたＩＣカードＣの券面の読み取りの際に、アンテナ部１７１がＩＣカードＣの券面の画像光を遮ることはない。
【００３９】
このように、本第１の実施形態によれば、ＩＣカードＣに対するデータの読み込み又は書き込みとともに、ＩＣカードＣの券面画像の読み取りを同一装置で行うことが可能であるため、作業効率を向上することができる。
また、アンテナ部１７１をプラテンガラス１５４の外周を囲む位置に設けることにより、スキャナ部１５によるＩＣカードＣの券面の光学像の読み取りを妨げることがないため、ＩＣカードＣの券面の画像を確実に読み取ることができる。
【００４０】
＜第２の実施形態＞
次に、図４を参照して、本第２の実施形態に係るＩＣカードリーダライタ１０の構成を説明する。図４（ａ）は、ＩＣカードリーダライタ１０の全体概略断面図、図４（ｂ）は、ＩＣカードリーダライタ１０の概略平面図である。図４（ｂ）において、プラテンガラス１５４上に存在する枠体Ｈ、ＩＣカードＣ及び光源１５２は省略している。なお、説明の簡略化のため、上述した第１実施形態と同一要素については同符号を付し、その詳細な説明は適宜省略する。
【００４１】
ＩＣカードリーダライタ１０は、スキャナ部１５としてのラインセンサ１５１、光源１５２、ミラー１５３、プラテンガラス１５４、ラインセンサ１５１とミラー１５３との間に配設される不図示の合焦レンズ、ミラー１５３を回動するための駆動手段（不図示）及びＲ／Ｗ部１７としてのアンテナ部１７１等を有して構成されている。なお、図２で示した制御部１１、記憶部１３、Ｉ／Ｆ１４等は、ＩＣカードリーダライタ１０内に内蔵されているものとし（何れも不図示）、操作部１２は、枠体Ｈ上に設けられているものとする（不図示）。
【００４２】
スキャナ部１５は、制御部１１の制御に応じて光源１５２からＩＣカードＣへ照明走査することで得られる券面の画像光をミラー１５３により反射させ、不図示の合焦レンズにより結像しラインセンサ１５１により光電変換することで券面の光学像を読み取り、読み取った画像データを画像処理部１６に出力する。なお、ミラー１５３は、制御部１１の制御に応じて駆動手段によりミラー１５３の略中央を中心として回動可能であるとし、ＩＣカードＣの券面全ての光学像を反射するものとする。
【００４３】
ここで、ミラー１５３及び駆動手段は、非導電性及び／又は非磁性の素材から構成されているものとする。このようにすることにより、Ｒ／Ｗ部１７が無線通信の際に形成する磁界への影響を抑えることが可能であるため、ＩＣカードＣとの無線通信を安定して行うことができる。
【００４４】
また、アンテナ部１７１は、図４（ｂ）に示すように、ループ状のアンテナであるものとし、プラテンガラス１５４の外周を囲む位置に設けられている。つまり、アンテナ部１７１の中空部にプラテンガラス１５４が位置することになるため、該プラテンガラス１５４上に載置されたＩＣカードＣの券面の読み取りの際に、アンテナ部１７１がＩＣカードＣの券面の画像光を遮ることはない。
【００４５】
このように、第２の実施形態によれば、ＩＣカードＣに対するデータの読み込み又は書き込みとともに、ＩＣカードＣの券面画像の読み取りを同一装置で行うことが可能であるため、作業効率を向上することができる。
また、アンテナ部１７１をプラテンガラス１５４の外周を囲む位置に設けることにより、スキャナ部１５によるＩＣカードＣの券面の光学像の読み取りを妨げることがないため、ＩＣカードＣの券面の画像を確実に読み取ることができる。
【００４６】
＜第３の実施形態＞
次に、図５を参照して、本第３の実施形態に係るＩＣカードリーダライタ１０の構成を説明する。図５（ａ）は、ＩＣカードリーダライタ１０の全体概略断面図、図５（ｂ）は、ＩＣカードリーダライタ１０の概略平面図である。図５（ｂ）において、プラテンガラス１５４上に存在する枠体Ｈ、ＩＣカードＣ及び光源１５２は省略している。なお、説明の簡略化のため、上述した第１実施形態と同一要素については同符号を付し、その詳細な説明は適宜省略する。
【００４７】
ＩＣカードリーダライタ１０は、スキャナ部１５としてのラインセンサ１５１、光源１５２、プラテンガラス１５４、ラインセンサ１５１及び光源１５２を移動するための駆動手段（不図示）及びＲ／Ｗ部１７としてのアンテナ部１７１等を有して構成されている。なお、図２で示した制御部１１、記憶部１３、Ｉ／Ｆ１４等は、ＩＣカードリーダライタ１０内に内蔵されているものとし（何れも不図示）、操作部１２は、枠体Ｈ上に設けられているものとする（不図示）。
【００４８】
スキャナ部１５は、制御部１１の制御に応じて光源１５２からＩＣカードＣへ照明走査することで得られる券面の画像光をラインセンサ１５１により光電変換することで券面の光学像を読み取り、読み取った画像データを画像処理部１６に出力する。なお、ラインセンサ１５１及び光源１５２は、制御部１１の制御に応じて駆動手段により図中Ｘで示した方向に移動可能であるとし、ＩＣカードＣの券面全ての光学像の読み取りを行うものとする。
【００４９】
ここで、駆動手段は、非導電性及び／又は非磁性の素材から構成されているものとする。このようにすることにより、Ｒ／Ｗ部１７が無線通信の際に形成する磁界への影響を抑えることが可能であるため、ＩＣカードＣとの無線通信を安定して行うことができる。
【００５０】
また、アンテナ部１７１は、図５（ｂ）に示すように、ループ状のアンテナであるものとし、プラテンガラス１５４の外周を囲む位置に設けられている。つまり、アンテナ部１７１の中空部にプラテンガラス１５４が位置することになるため、該プラテンガラス１５４上に載置されたＩＣカードＣの券面の読み取りの際に、アンテナ部１７１がＩＣカードＣの券面の画像光を遮ることはない。
【００５１】
このように、第３の実施形態によれば、ＩＣカードＣに対するデータの読み込み又は書き込みとともに、ＩＣカードＣの券面画像の読み取りを同一装置で行うことが可能であるため、作業効率を向上することができる。
また、アンテナ部１７１をプラテンガラス１５４の外周を囲む位置に設けることにより、スキャナ部１５によるＩＣカードＣの券面の光学像の読み取りを妨げることがないため、ＩＣカードＣの券面の画像を確実に読み取ることができる。
【００５２】
＜第４の実施形態＞
次に、図６を参照して、本第４の実施形態に係るＩＣカードリーダライタ１０の構成を説明する。図６（ａ）は、ＩＣカードリーダライタ１０の全体概略断面図、図６（ｂ）は、ＩＣカードリーダライタ１０の概略平面図である。図６（ｂ）において、プラテンガラス１５４上に存在する枠体Ｈ、ＩＣカードＣ及び光源１５２は省略している。なお、説明の簡略化のため、上述した第１実施形態と同一要素については同符号を付し、その詳細な説明は適宜省略する。
【００５３】
ＩＣカードリーダライタ１０は、スキャナ部１５としてのラインセンサ１５１、光源１５２、第１のミラー１５３ａ、第２のミラー１５３ｂ、第３のミラー１５３ｃ、プラテンガラス１５４及びラインセンサ１５１と第３のミラー１５３ｃとの間に配設される不図示の合焦レンズ、上記ミラー群と光源１５２とを移動するための駆動手段（不図示）及びＲ／Ｗ部１７としてのアンテナ部１７１等を有して構成されている。なお、図２で示した制御部１１、記憶部１３、Ｉ／Ｆ１４等は、ＩＣカードリーダライタ１０内に内蔵されているものとし（何れも不図示）、操作部１２は、枠体Ｈ上に設けられているものとする（不図示）。
【００５４】
スキャナ部１５は、制御部１１の制御に応じて光源１５２からＩＣカードＣへ照明走査することで得られる券面の画像光を第１のミラー１５３ａ、第２のミラー１５３ｂ及び第３のミラー１５３ｃにより反射させ、不図示の合焦レンズにより結像しラインセンサ１５１により光電変換することで券面の光学像を読み取り、読み取った画像データを画像処理部１６に出力する。なお、第１のミラー１５３ａ、第２のミラー１５３ｂ、第３のミラー１５３ｃ及び光源１５２は、制御部１１の制御に応じて駆動手段により図中Ｘで示した方向に移動可能であるとし、ＩＣカードＣの券面全ての光学像の読み取りを行うものとする。
【００５５】
ここで、第１のミラー１５３ａ、第２のミラー１５３ｂ、第３のミラー１５３ｃ及び駆動手段は、非導電性及び／又は非磁性の素材から構成されているものとする。このようにすることにより、Ｒ／Ｗ部１７が無線通信の際に形成する磁界への影響を抑えることが可能であるため、ＩＣカードＣとの無線通信を安定して行うことができる。
【００５６】
また、アンテナ部１７１は、図６（ｂ）に示すように、ループ状のアンテナであるものとし、プラテンガラス１５４の外周を囲む位置に設けられている。つまり、アンテナ部１７１の中空部にプラテンガラス１５４が位置することになるため、該プラテンガラス１５４上に載置されたＩＣカードＣの券面の読み取りの際に、アンテナ部１７１がＩＣカードＣの券面の画像光を遮ることはない。
【００５７】
このように、第４の実施形態によれば、ＩＣカードＣに対するデータの読み込み又は書き込みとともに、ＩＣカードＣの券面画像の読み取りを同一装置で行うことが可能であるため、作業効率を向上することができる。
また、アンテナ部１７１をプラテンガラス１５４の外周を囲む位置に設けることにより、スキャナ部１５によるＩＣカードＣの券面の光学像の読み取りを妨げることがないため、ＩＣカードＣの券面の画像を確実に読み取ることができる。
【００５８】
＜第５の実施形態＞
次に、図７を参照して、本第５の実施形態に係るＩＣカードリーダライタ１０の構成を説明する。図７（ａ）は、ＩＣカードリーダライタ１０の全体概略断面図、図７（ｂ）は、ＩＣカードリーダライタ１０の概略平面図である。図７（ｂ）において、プラテンガラス１５４上に存在する枠体Ｈ、ＩＣカードＣ及び光源１５２は省略している。なお、説明の簡略化のため、上述した第１実施形態と同一要素については同符号を付し、その詳細な説明は適宜省略する。
【００５９】
ＩＣカードリーダライタ１０は、スキャナ部１５としてのラインセンサ１５１、光源１５２、第１のミラー１５３ａ、第２のミラー１５３ｂ、第３のミラー１５３ｃ、プラテンガラス１５４、第１のシリンドリカルレンズ１５５ａ、第２のシリンドリカルレンズ１５５ｂ、第３のシリンドリカルレンズ１５５ｃ、ラインセンサ１５１とミラー群（第１のミラー１５３ａ、第２のミラー１５３ｂ、第３のミラー１５３ｃ）との間に配設される不図示の合焦レンズ及びＲ／Ｗ部１７としてのアンテナ部１７１等を有して構成されている。なお、図２で示した制御部１１、記憶部１３、Ｉ／Ｆ１４等は、ＩＣカードリーダライタ１０内に内蔵されているものとし（何れも不図示）、操作部１２は、枠体Ｈ上に設けられているものとする（不図示）。
【００６０】
スキャナ部１５は、制御部１１の制御に応じて光源１５２からＩＣカードＣへ照明走査することで得られる券面の画像光を、第１のシリンドリカルレンズ１５５ａ、第２のシリンドリカルレンズ１５５ｂ及び第３のシリンドリカルレンズ１５５ｃを介して第１のミラー１５３ａ、第２のミラー１５３ｂ及び第３のミラー１５３ｃにより反射させ、不図示の合焦レンズにより結像しラインセンサ１５１により光電変換することで券面の光学像を読み取り、読み取った画像データを画像処理部１６に出力する。なお、第１のミラー１５３ａ、第２のミラー１５３ｂ、第３のミラー１５３ｃ及び光源１５２は、それぞれ第１のシリンドリカルレンズ１５５ａ、第２のシリンドリカルレンズ１５５ｂ及び第３のシリンドリカルレンズ１５５ｃを介すことで、ＩＣカードＣの券面全ての光学像を反射可能であるものとする。
【００６１】
ここで、第１のミラー１５３ａ、第２のミラー１５３ｂ及び第３のミラー１５３ｃは、非導電性及び／又は非磁性の素材から構成されているものとする。このようにすることにより、Ｒ／Ｗ部１７が無線通信の際に形成する磁界への影響を抑えることが可能であるため、ＩＣカードＣとの無線通信を安定して行うことができる。
【００６２】
また、アンテナ部１７１は、図７（ｂ）に示すように、ループ状のアンテナであるものとし、プラテンガラス１５４の外周を囲む位置に設けられている。つまり、アンテナ部１７１の中空部にプラテンガラス１５４が位置することになるため、該プラテンガラス１５４上に載置されたＩＣカードＣの券面の読み取りの際に、アンテナ部１７１がＩＣカードＣの券面の画像光を遮ることはない。
【００６３】
このように、第５の実施形態によれば、ＩＣカードＣに対するデータの読み込み又は書き込みとともに、ＩＣカードＣの券面画像の読み取りを同一装置で行うことが可能であるため、作業効率を向上することができる。
また、アンテナ部１７１をプラテンガラス１５４の外周を囲む位置に設けることにより、スキャナ部１５によるＩＣカードＣの券面の光学像の読み取りを妨げることがないため、ＩＣカードＣの券面の画像を確実に読み取ることができる。
【００６４】
以上、本実施の形態における記述は、本発明に係るＩＣカードリーダライタの一例を示すものであり、これに限定されるものではない。本実施の形態におけるＩＣカードリーダライタの細部構成及び詳細動作に関しては、本発明の趣旨を逸脱しない範囲で適宜変更可能である。
【００６５】
例えば、アンテナ部１７１を形成する素材を、導電性を有した光透過性のガラス、塗料等としてもよい。この場合、ＩＣカードＣの券面の光学像の読み取りを妨げることがないため、ＩＣカードＣの券面の画像を確実に読み取ることができる。
【００６６】
また、アンテナ部１７１をプラテンガラス１５４中に埋め込むことで一体とした形態で用いることとしてもよい。この場合、プラテンガラス１５４の外周部にアンテナ部１７１を埋め込むことが好ましい。ただし、光透過性の素材でアンテナ部１７１が形成されている場合は、この限りでないものとする。
【００６７】
また、アンテナ部１７１をループ状のアンテナとしたが、これに限らず、他の形状のアンテナであってもよいものとする。その場合には、上述した第１〜５の実施形態で示したループ状のアンテナの場合と同様、ＩＣカードＣの券面の画像光を遮らない位置に配置することが好ましい。
【図面の簡単な説明】
【００６８】
【図１】ＩＣカードリーダライタの外観構成を示す図である。
【図２】ＩＣカードリーダライタの概略構成を示すブロック図である。
【図３】（ａ）第１の実施形態におけるＩＣカードリーダライタの全体概略断面図である。（ｂ）第１の実施形態におけるＩＣカードリーダライタの概略平面図である。
【図４】（ａ）第２の実施形態におけるＩＣカードリーダライタの全体概略断面図である。（ｂ）第２の実施形態におけるＩＣカードリーダライタの概略平面図である。
【図５】（ａ）第３の実施形態におけるＩＣカードリーダライタの全体概略断面図である。（ｂ）第３の実施形態におけるＩＣカードリーダライタの概略平面図である。
【図６】（ａ）第４の実施形態におけるＩＣカードリーダライタの全体概略断面図である。（ｂ）第４の実施形態におけるＩＣカードリーダライタの概略平面図である。
【図７】（ａ）第５の実施形態におけるＩＣカードリーダライタの全体概略断面図である。（ｂ）第５の実施形態におけるＩＣカードリーダライタの概略平面図である。
【符号の説明】
【００６９】
１０  ＩＣカードリーダライタ（ＩＣカードリーダライタ）
１１  制御部（制御手段）
１２  操作部
１３  記憶部（記憶手段）
１４  Ｉ／Ｆ
１５  スキャナ部（画像読取手段）
１５１  ラインセンサ（光学系）
１５２  光源（光学系）
１５３  ミラー（光学系）
１５３ａ  第１のミラー（光学系）
１５３ｂ  第２のミラー（光学系）
１５３ｃ  第３のミラー（光学系）
１５４  プラテンガラス（載置部）
１５５ａ  第１のシリンドリカルレンズ（光学系）
１５５ｂ  第２のシリンドリカルレンズ（光学系）
１５５ｃ  第３のシリンドリカルレンズ（光学系）
１６  画像処理手段
１７  Ｒ／Ｗ部（リードライト手段）
１７１  アンテナ部（アンテナ部）
１８  バス
Ｃ  ＩＣカード（ＩＣカード）
Ｈ  枠体
【図１】
2006134054.tif 000003
【図２】
2006134054.tif 000004
【図３】
2006134054.tif 000005
【図４】
2006134054.tif 000006
【図５】
2006134054.tif 000007
【図６】
2006134054.tif 000008
【図７】
2006134054.tif 000009